(57)【要約】【課題】飾る写真や絵等の飾物の大きさに関係なく使用することができると共に写真や絵等の飾物を簡単に取り付けたり取り外すことができるフリーサイズ額縁を提供する。【解決手段】フリーサイズ額縁１０は、第１角部保持体１２、第２角部保持体１４、第３角部保持体１６、第４角部保持体１８を備えている。第１角部保持体１２には第１角部挿入部２０と第１締付体収容部２２が形成されている。第２角部保持体１４には第２角部挿入部２４と第２締付体収容部２６が形成されている。第３角部保持体１６には第３角部挿入部３０と第３締付体収容部３２が形成されている。第４角部保持体１８には第４角部挿入部３６と第４締付体収容部３８が形成されている。第１締付体収容部２２、第２締付体収容部２６、第３締付体収容部３２、第４締付体収容部３８には締付紐４２の中間部が収容されるようになっている。【選択図】図１
2008279076.tif 000002
【特許請求の範囲】
【請求項１】
飾物を飾るフリーサイズ額縁であって、前記飾物の第１角部を保持する第１角部保持体と、前記飾物の第２角部を保持する第２角部保持体と、前記飾物の第３角部を保持する第３角部保持体と、前記飾物の第４角部を保持する第４角部保持体と、前記第１角部保持体に形成されると共に前記飾物の第１角部が挿入される第１角部挿入部と、第２角部保持体に形成されると共に前記飾物の第２角部が挿入される第２角部挿入部と、前記第３角部保持体に形成されると共に前記飾物の第３角部が挿入される第３角部挿入部と、第４角部保持体に形成されると共に前記飾物の第４角部が挿入される第４角部挿入部と、前記第１角部保持体に形成された第１締付体収容部と、前記第２角部保持体に形成された第２締付体収容部と、前記第３角部保持体に形成された第３締付体収容部と、前記第４角部保持体に形成された第４締付体収容部と、これら第１締付体収容部、第２締付体収容部、第３締付体収容部、第４締付体収容部に中間部が収容されて前記第１角部保持体、第２角部保持体、第３角部保持体、第４角部保持体を締め付ける前記締付体と、を有してなることを特徴とするフリーサイズ額縁。
【請求項２】
飾物を飾るフリーサイズ額縁であって、前記飾物の第１角部を保持する第１角部保持体と、前記飾物の第２角部を保持する第２角部保持体と、前記飾物の第３角部を保持する第３角部保持体と、前記飾物の第４角部を保持する第４角部保持体と、前記第１角部保持体に形成されると共に前記飾物の第１角部が挿入される第１角部挿入部と、第２角部保持体に形成されると共に前記飾物の第２角部が挿入される第２角部挿入部と、前記第３角部保持体に形成されると共に前記飾物の第３角部が挿入される第３角部挿入部と、第４角部保持体に形成されると共に前記飾物の第４角部が挿入される第４角部挿入部と、前記第１角部保持体に第１角部挿入部と対向して形成された第１締付体収容部と、前記第２角部保持体に第２角部挿入部と対向して形成された第２締付体収容部と、前記第３角部保持体に第３角部挿入部と対向して形成された第３締付体収容部と、前記第４角部保持体に第４角部挿入部と対向して形成された第４締付体収容部と、第１締付体収容部と第２締付体収容部と第３締付体収容部と第４締付体収容部に中間部が収容されると共に前記第１角部保持体、第２角部保持体、第３角部保持体、第４角部保持体を締め付ける締付体と、を有してなることを特徴とするフリーサイズ額縁。
【請求項３】
飾物を飾るフリーサイズ額縁であって、板状体で形成されると共に前記飾物の第１角部を保持する第１角部保持体と、板状体で形成されると共に前記飾物の第２角部を保持する第２角部保持体と、板状体で形成されると共に前記飾物の第３角部を保持する第３角部保持体と、板状体で形成されると共に前記飾物の第４角部を保持する第４角部保持体と、前記第１角部保持体に形成されると共に前記飾物の第１角部が挿入される第１角部挿入部と、第２角部保持体に形成されると共に前記飾物の第２角部が挿入される第２角部挿入部と、前記第３角部保持体に形成されると共に前記飾物の第３角部が挿入される第３角部挿入部と、第４角部保持体に形成されると共に前記飾物の第４角部が挿入される第４角部挿入部と、前記第１角部保持体に第１角部挿入部と対向して形成された第１締付体収容部と、前記第２角部保持体に第２角部挿入部と対向して形成された第２締付体収容部と、前記第３角部保持体に第３角部挿入部と対向して形成された第３締付体収容部と、前記第４角部保持体に第４角部挿入部と対向して形成された第４締付体収容部と、前記第１角部保持体の外側縦辺に形成された第１締付体案内凹部と、前記第２角部保持体の外側縦辺に形成された第２締付体案内凹部と、前記第３角部保持体の外側縦辺に形成された第３締付体案内凹部と、前記第４角部保持体の外側縦辺に形成された第４締付体案内凹部と、前記第１締付体収容部、第１締付体案内凹部、第２締付体収容部、第２締付体案内凹部、第３締付体収容部、第３締付体案内凹部、第４締付体収容部、第４締付体案内凹部に中間部が収容されると共に前記第１角部保持体、第２角部保持体、第３角部保持体、第４角部保持体を締め付ける締付体と、を有してなることを特徴とするフリーサイズ額縁。
【発明の詳細な説明】
【技術分野】
【０００１】
本発明は、額縁に関し、詳しくは飾る写真や絵等の飾物の大きさに影響されることなく、しかも簡単に飾物を飾ることができるフリーサイズ額縁に関する。
【背景技術】
【０００２】
写真や絵等の飾物を飾るための道具として額縁が従来から広く知悉されている。
しかし、従来の額縁は少なくとも矩形状の枠体と枠体の背面側に着脱可能に配設される背面板を備えている（特許文献１）。
従って、従来の額縁は額縁の大きさを大きくしたり小さくしたりすることはできないため、飾る写真や絵等の飾物の大きさに合わせて額縁を購入する必要がある。
また、従来の額縁に写真や絵等の飾物を飾る場合は、前記背面板を枠体から一旦取り外して写真や絵等の飾物を枠体に配設してから再び前記背面板を枠体に取り付けている。このため、額縁に写真や絵等の飾物を飾る場合や額縁から前記飾物を取り外す作業が煩雑になるという不具合がある。
さらに、従来の額縁は背面に背面板が存在しているため額縁の背面から写真又は絵等の飾物を鑑賞することはできない。
【特許文献１】実用新案登録第３０６３９０２号公報
【発明の開示】
【発明が解決しようとする課題】
【０００３】
本発明は、上記事実に鑑みなされたものであり、飾る写真や絵等の飾物の大きさに関係なく使用することができると共に写真や絵等の飾物を簡単に取り付けたり取り外すことができ、さらに額縁の背面からでも写真や絵等の飾物を鑑賞できるフリーサイズ額縁を提供するものである。
【課題を解決するための手段】
【０００４】
請求項１の発明は、飾物を飾るフリーサイズ額縁であって、前記飾物の第１角部を保持する第１角部保持体と、前記飾物の第２角部を保持する第２角部保持体と、前記飾物の第３角部を保持する第３角部保持体と、前記飾物の第４角部を保持する第４角部保持体と、前記第１角部保持体に形成されると共に前記飾物の第１角部が挿入される第１角部挿入部と、第２角部保持体に形成されると共に前記飾物の第２角部が挿入される第２角部挿入部と、前記第３角部保持体に形成されると共に前記飾物の第３角部が挿入される第３角部挿入部と、第４角部保持体に形成されると共に前記飾物の第４角部が挿入される第４角部挿入部と、前記第１角部保持体に形成された第１締付体収容部と、前記第２角部保持体に形成された第２締付体収容部と、前記第３角部保持体に形成された第３締付体収容部と、前記第４角部保持体に形成された第４締付体収容部と、これら第１締付体収容部、第２締付体収容部、第３締付体収容部、第４締付体収容部に中間部が収容されて前記第１角部保持体、第２角部保持体、第３角部保持体、第４角部保持体を締め付ける前記締付体と、を有してなることを特徴としている。
請求項２の発明は、飾物を飾るフリーサイズ額縁であって、前記飾物の第１角部を保持する第１角部保持体と、前記飾物の第２角部を保持する第２角部保持体と、前記飾物の第３角部を保持する第３角部保持体と、前記飾物の第４角部を保持する第４角部保持体と、前記第１角部保持体に形成されると共に前記飾物の第１角部が挿入される第１角部挿入部と、第２角部保持体に形成されると共に前記飾物の第２角部が挿入される第２角部挿入部と、前記第３角部保持体に形成されると共に前記飾物の第３角部が挿入される第３角部挿入部と、第４角部保持体に形成されると共に前記飾物の第４角部が挿入される第４角部挿入部と、前記第１角部保持体に第１角部挿入部と対向して形成された第１締付体収容部と、前記第２角部保持体に第２角部挿入部と対向して形成された第２締付体収容部と、前記第３角部保持体に第３角部挿入部と対向して形成された第３締付体収容部と、前記第４角部保持体に第４角部挿入部と対向して形成された第４締付体収容部と、第１締付体収容部と第２締付体収容部と第３締付体収容部と第４締付体収容部に中間部が収容されると共に前記第１角部保持体、第２角部保持体、第３角部保持体、第４角部保持体を締め付ける締付体と、を有してなることを特徴としている。
請求項３の発明は、飾物を飾るフリーサイズ額縁であって、板状体で形成されると共に前記飾物の第１角部を保持する第１角部保持体と、板状体で形成されると共に前記飾物の第２角部を保持する第２角部保持体と、板状体で形成されると共に前記飾物の第３角部を保持する第３角部保持体と、板状体で形成されると共に前記飾物の第４角部を保持する第４角部保持体と、前記第１角部保持体に形成されると共に前記飾物の第１角部が挿入される第１角部挿入部と、第２角部保持体に形成されると共に前記飾物の第２角部が挿入される第２角部挿入部と、前記第３角部保持体に形成されると共に前記飾物の第３角部が挿入される第３角部挿入部と、第４角部保持体に形成されると共に前記飾物の第４角部が挿入される第４角部挿入部と、前記第１角部保持体に第１角部挿入部と対向して形成された第１締付体収容部と、前記第２角部保持体に第２角部挿入部と対向して形成された第２締付体収容部と、前記第３角部保持体に第３角部挿入部と対向して形成された第３締付体収容部と、前記第４角部保持体に第４角部挿入部と対向して形成された第４締付体収容部と、前記第１角部保持体の外側縦辺に形成された第１締付体案内凹部と、前記第２角部保持体の外側縦辺に形成された第２締付体案内凹部と、前記第３角部保持体の外側縦辺に形成された第３締付体案内凹部と、前記第４角部保持体の外側縦辺に形成された第４締付体案内凹部と、前記第１締付体収容部、第１締付体案内凹部、第２締付体収容部、第２締付体案内凹部、第３締付体収容部、第３締付体案内凹部、第４締付体収容部、第４締付体案内凹部に中間部が収容されると共に前記第１角部保持体、第２角部保持体、第３角部保持体、第４角部保持体を締め付ける締付体と、を有してなることを特徴としている。
【発明の効果】
【０００５】
本発明のフリーサイズ額縁は、飾る写真や絵等の飾物の大きさに影響されることなく使用することができるという優れた効果を有する。
また、本発明のフリーサイズ額縁は、飾る写真や絵等の飾物を簡単に取り付けたり取り外したりすることができるという優れた効果を有する。
さらに、本発明のフリーサイズ額縁は、背面板を備えていないので正面側に写真等の飾物、背面側に絵等の飾物を配設すれば額縁の両面から前記飾物を鑑賞することができるという優れた効果を有する。
【発明を実施するための最良の形態】
【０００６】
発明を実施するために最良の形態の例として以下のような実施例を示す。
【実施例１】
【０００７】
図１〜図７には本発明に係るフリーサイズ額縁の一実施例が示されている。
図１〜図３に示されるように、この実施例のフリーサイズ額縁１０は、それぞれ独立した第１角部保持体１２、第２角部保持体１４、第３角部保持体１６、第４角部保持体１８を備えている。
図１及び図２に示されるように、前記第１角部保持体１２は飾物としての写真１の第１角部１Ａを、前記第２角部保持体１４は写真１の第２角部１Ｂを、前記第３角部保持体１６は写真１の第３角部１Ｃを、前記第４角部保持体１８は写真１の第４角部１Ｄを、それぞれ保持するようになっている。
なお、前記第１角部保持体１２、第２角部保持体１４、第３角部保持体１６、第４角部保持体１８は同一形状である。
図４に示されるように、前記第１角部保持体１２は一定の肉厚（図５参照）を有する透明なアクリル板を正面視矩形状にして形成されている。
図４及び図６に示されるように、この第１角部保持体１２には内側縦辺１２Ａと内側横辺１２Ｂに連続して正面視矩形状の第１角部挿入部２０が形成されている。この第１角部挿入部２０には前記写真１の第１角部１Ａが挿入するようになっている（図１、図２参照）。
前記第１角部保持体１２には外側縦辺１２Ｃと外側横辺１２Ｄに連続して前記第１角部挿入部２０と対向して第１締付体収容部２２が形成されている。また、前記外側縦辺１２Ｃ及び外側横辺１２Ｄには第１締付体案内凹部２３が形成されている。
図３に示されるように、前記第２角部保持体１４には内側縦辺１４Ａと内側横辺１４Ｂに連続して正面視矩形状の第２角部挿入部２４が形成されている。また、外側縦辺１４Ｃと外側横辺１４Ｄには連続して第２締付体収容部２６が形成され、外側縦辺１４Ｃ及び外側横辺１４Ｄには第２締付体案内凹部２８が形成されている。
また、前記第３角部保持体１６には内側縦辺１６Ａと内側横辺１６Ｂに連続して正面視矩形状の第３角部挿入部３０が形成されている。また、外側縦辺１６Ｃと外側横辺１６Ｄには連続して第３締付体収容部３２が形成され、外側縦辺１６Ｃ及び外側横辺１６Ｄには第３締付体案内凹部３４が形成されている。
また、前記第４角部保持体１８には内側縦辺１８Ａと内側横辺１８Ｂに連続して正面視矩形状の第４角部挿入部３６が形成されている。また、外側縦辺１８Ｃと外側横辺１８Ｄには連続して第４締付体収容部３８が形成され、外側縦辺１８Ｃ及び外側横辺１８Ｄには第４締付体案内凹部４０が形成されている。
図１に示されるように、前記第１締付体収容部２２、第２締付体収容部２６、第３締付体収容部３２、第４締付体収容部３８及び前記第１締付体案内凹部２３、第２締付体案内凹部２８、第３締付体案内凹部３４、第４締付体案内凹部４０には前記第１角部保持体１２、第２角部保持体１４、第３角部保持体１６、第４角部保持体１８を締め付ける締付体としての締付紐４２が収容されるようになっている。
なお、この実施例では環状に結んだ前記締付紐４２を二重にして前記第１締付体収容部２２、第２締付体収容部２６、第３締付体収容部３２、第４締付体収容部３８及び前記第１締付体案内凹部２３、第２締付体案内凹部２８、第３締付体案内凹部３４、第４締付体案内凹部４０に配設している。
【０００８】
次に、実施例のフリーサイズ額縁１０の作用について説明する。
実施例のフリーサイズ額縁１０に写真１を飾る場合は、図３に示されるように写真１の第１角部１Ａを第１角部保持体１２の第１角部挿入部２０に、写真１の第２角部１Ｂを第２角部保持体１４の第２角部挿入部２４に、写真１の第３角部１Ｃを第３角部保持体１６の第３角部挿入部３０に、写真１の第４角部１Ｄを第４角部保持体１８の第４角部挿入部３６に、それぞれ挿入する。
そして、リング状に結んだ締付紐４２を二重にして前記第１締付体収容部２２、第２締付体収容部２６、第３締付体収容部３２、第４締付体収容部３８及び前記第１締付体案内凹部２３、第２締付体案内凹部２８、第３締付体案内凹部３４、第４締付体案内凹部４０に配設して締付紐４２を締め付ける。
最後に、前記第１角部保持体１２と第２角部保持体１４の間に位置している締付紐４２の中央部分４２Ａを壁等に固定されたたフック（図示せず）に引っ掛ければ写真１が配設された前記フリーサイズ額縁１０を壁に掛けることができる。
このフリーサイズ額縁１０は、写真１を保持する前記第１角部保持体１２、第２角部保持体１４、第３角部保持体１６、第４角部保持体１８がそれぞれ独立しているので、飾る写真１の大きさに合わせて額縁の大きさを自由に調節することができ、写真１の大きさに関係なく飾ることができる。
このため、前記フリーサイズ額縁１０があれば写真１の大きさに応じて額縁を購入する必要がないので経済的である。
また、フリーサイズ額縁１０は写真１を飾る場合、写真１の第１角部１Ａを第１角部保持体１２の角部収容挿入部２０に、写真１の第２角部１Ｂを第２角部保持体１４の第２角部収容挿入部２４に、写真１の第３角部１Ｃを第３角部保持体１６の第３角部収容挿入部３０に、写真１の第４角部１Ｄを第４角部保持体１８の第４角部収容挿入部３６に、それぞれ挿入し、リング状に結んだ締付紐４２を前記第１締付体収容部２２、第２締付体収容部２６、第３締付体収容部３２、第４締付体収容部３８及び前記第１締付体案内凹部２３、第２締付体案内凹部２８、第３締付体案内凹部３４、第４締付体案内凹部４０に配設するだけで写真１を飾ることができるため、従来の額縁に比べて簡単に写真１を取り付けたり取り外したりすることができる。
さらに、前記フリーサイズ額縁１０には背面板が設けられていないので、写真１の背面側に別の絵等の飾物を反対向きにして取り付けることにより正面からは写真１を鑑賞でき、背面からは絵を鑑賞することができる。
なお、図７に示されるように、前記第１角部保持体１２と第２角部保持体１４の間に位置している締付紐４２の中の１本を引っ張って、壁に固定されたフックに引っ掛ければ残った締付紐４２が枠体のように写真１を囲むように位置するので、１つのフリーサイズ額縁１０であるにも拘わらず看者に対して違った印象を与えることができる。
【０００９】
なお、図８に示すように、前記第１締付体収容部２２、第２締付体収容部２６、第３締付体収容部３２、第４締付体収容部３８の形状を正面視矩形状に形成してもよい（図８には第１締付体収容部２２の場合を示す）。
【００１０】
なお、実施例では締付体として紐で形成した締付紐４２を示したが、締付体は紐に限定されるものでないことは勿論である。
また、上記実施例ではフリーサイズ額縁１０に直接写真１を取り付けたが、例えば写真１を台紙等に貼付し、写真１を貼付した台紙をフリーサイズ額縁１０に取り付けるようにしてもよいことは勿論である。
なお、実施例では飾物として写真１を示したが、飾物は写真１に限定されるものでなく、絵や書等でもよいことは勿論である。
【図面の簡単な説明】
【００１１】
【図１】実施例のフリーサイズ額縁の使用状態を示す全体正面図である。
【図２】実施例のフリーサイズ額縁の使用状態を示す全体斜視図である。
【図３】実施例のフリーサイズ額縁の分解正面図である。
【図４】実施例のフリーサイズ額縁の第１角部保持体の正面図である。
【図５】実施例のフリーサイズ額縁の第１角部保持体の側面図である。
【図６】実施例のフリーサイズ額縁の第１角部保持体の縦断面図である。
【図７】実施例のフリーサイズ額縁の他の使用例を正面図である。
【図８】実施例のフリーサイズ額縁の他の第１角部保持体の正面図である。
【符号の説明】
【００１２】
１０    フリーサイズ額縁
１２    第１角部保持体
１４    第２角部保持体
１６    第３角部保持体
１８    第４角部保持体
２０    第１角部挿入部
２２    第１締付体収容部
２３    第１締付体案内凹部
２４    第２角部挿入部
２６    第２締付体収容部
２８    第２締付体案内凹部
３０    第３角部挿入部
３２    第３締付体収容部
３４    第３締付体案内凹部
３６    第４角部挿入部
３８    第４締付体収容部
４０    第４締付体案内凹部
４２    締付紐
【図１】
2008279076.tif 000003
【図２】
2008279076.tif 000004
【図３】
2008279076.tif 000005
【図４】
2008279076.tif 000006
【図５】
2008279076.tif 000007
【図６】
2008279076.tif 000008
【図７】
2008279076.tif 000009
【図８】
2008279076.tif 000010